(57)【要約】  装置および測定器具は、互いに対してスライド運動するように構成された第１の部品および第２の部品を含む。第１の部品は、第１の位置から第２の位置まで移動可能な硬質部分を含むロック部材を含む。第２の部品は圧縮性部分を含み、圧縮性部分は、硬質部分より低いショア硬さを有し、ロック部材が第１の位置にあるときに圧縮性部分が硬質部分によって係合されず、ロック部材が第２の位置にあるときに圧縮性部分が硬質部分により少なくとも部分的に圧縮され、それにより第１および第２の部品の相対運動を妨げるように、位置付けられる。代替的な実施形態では、第１の部品は、圧縮性部分を含んでよく、第２の部品は硬質部分を含んでよい。圧縮性部分は、硬質部分より低いショア硬さを有するので、第２の位置では、圧縮性部分は、硬質部分の周りで圧縮されるかまたは変形する。この圧縮により摩擦が生じて、第１および第２の部品の相対位置を、細かい調節レベルでロックする。
2011529355.tif 000002
【特許請求の範囲】
【請求項１】
装置において、
互いに対してスライド運動するように構成された第１の部品および第２の部品、
を含み、
前記第１の部品は、第１の位置から第２の位置まで移動可能な硬質部分を含むロック部材を含み、
前記第２の部品は、圧縮性部分を含み、前記圧縮性部分は、前記硬質部分より低いショア硬さを有し、前記ロック部材が前記第１の位置にあるときに前記圧縮性部分が前記硬質部分により係合されず、前記ロック部材が前記第２の位置にあるときに前記圧縮性部分が前記硬質部分により少なくとも部分的に圧縮され、それにより前記第１および第２の部品の相対運動を妨げるように、位置付けられる、装置。
【請求項２】
装置において、
互いに対してスライド運動するように構成された第１の部品および第２の部品、
を含み、
前記第１の部品は、第１の位置から第２の位置まで移動可能な圧縮性部分を含むロック部材を含み、
前記第２の部品は、硬質部分を含み、前記硬質部分は、前記圧縮性部分より高いショア硬さを有し、前記ロック部材が前記第１の位置にあるときに前記圧縮性部分が前記硬質部分により係合されず、前記ロック部材が前記第２の位置にあるときに前記圧縮性部分が前記硬質部分により少なくとも部分的に圧縮され、それにより前記第１および第２の部品の相対運動を妨げるように、位置付けられる、装置。
【請求項３】
請求項１または２に記載の装置において、
前記圧縮性部分は、ショア硬さが５０〜７０の材料を含む、装置。
【請求項４】
請求項１〜３のいずれか１項に記載の装置において、
前記硬質部分は、８０以上のショア硬さを有する、装置。
【請求項５】
請求項１〜４のいずれか１項に記載の装置において、
前記硬質部分は、前記ロック部材のエッジである、装置。
【請求項６】
請求項１〜５のいずれか１項に記載の装置において、
前記第１の部品は、長さ方向軸を有し、前記第１および第２の部品は、実質的に前記長さ方向軸の方向に、互いに対してスライド運動するように構成され、
前記硬質部分は、真っ直ぐであり、前記長さ方向軸に実質的に垂直に整列され、
前記ロック部材は、第１の位置と第２の位置との間で前記鋭いエッジに平行な方向に移動することができる、装置。
【請求項７】
請求項１〜６のいずれか１項に記載の装置において、
前記圧縮性部分は、破壊できない材料を含む、装置。
【請求項８】
請求項１〜７のいずれか１項に記載の装置において、
前記圧縮性部分は、弾性である、装置。
【請求項９】
手術で使用される測定器具において、
請求項１〜８のいずれか１項に記載の装置、
を含む、測定器具。
【請求項１０】
請求項９に記載の測定器具において、
前記測定器具は、使い捨てである、測定器具。
【請求項１１】
膝関節手術で大腿骨のサイズを測るための請求項９または１０に記載の測定器具において、
前記第１の部品または第２の部品に取り付けられたスタイラス、
をさらに含む、測定器具。
【請求項１２】
膝関節手術で大腿骨のサイズを測るための請求項９または１０に記載の測定器具において、
前記第１または第２の部品に取り付けられた位置付けガイド、
をさらに含む、測定器具。
【発明の詳細な説明】
【開示の内容】
【０００１】
本発明は、第１および第２の部品の相対的なスライド運動をロックする装置に関する。特に、本発明は、そのような装置を含む、手術で使用される測定器具に関する。
【０００２】
整形外科手術、例えば膝関節置換手術では、損傷を受けた関節の部分がプロテーゼと取り替えられる。膝関節置換手術では、そのような１つのプロテーゼは、大腿骨に固定されて膝関節に置換ベアリング面を与える大腿骨プロテーゼである。プロテーゼを固定する前に、骨の上で受容面を切り、位置付けピンの正しい位置を突き止めることによって、インプラントのために大腿骨を準備することが必要である。大腿骨プロテーゼは、患者の解剖学的構造に合うよう、いくつかの異なるサイズで利用可能である。測定器具を用いて、インプラントのサイズを決定し、また、プロテーゼの位置付けピンを受容するあらゆる穴が正しい位置にあることを確実にする。
【０００３】
典型的な既知の大腿骨サイズ決めガイド（femoral sizing guide）は、全体が金属または金属合金で作られた器具である。大腿骨サイズ決めガイドは、患者の解剖学的構造を測定し、また、インプラントの正しいサイズを決定するために、互いにスライドできる部品を含む。いったん正しいサイズが決定されたら、それらの部品をロックすることが望ましく、それにより部品は互いに対して動くことができなくなる。これは、ノブをベースとした摩擦ロックを用いて達成される。ねじ山付きボアが、１つの部品において、もう一方の部品の表面より上に設けられる。ねじ山付きノブが次に、そのボアにねじ込まれて、１端部がボアから突出し、ねじ山付きノブがボアの中へとさらに回転すると、ねじ山付きノブがもう一方の部品に接触し、その部品を圧迫し、摩擦によって２つの部品を相対運動に対してロックする。器具は金属で作られているので、ねじ山付きノブが相対運動に対して部品をロックするために用いられた場合に、著しい圧縮または変形はない。
【０００４】
ねじ山付きノブを用いた、この摩擦をベースとするロックは、手術室で、流体で満ちた創傷において手袋をはめた手で使用するのが厄介な場合がある。しかしながら、代替的な構成では、ねじ山付きノブの機械的拡大率なしで、相対運動に対して２つの部品をロックするために十分な摩擦をもたらすのは、困難であり得る。
【０００５】
本発明は、選択的にロックされるべき２つの部品間での相対的なスライド運動を可能にする装置を提供する。この装置は、硬質部品と、より軟らかいかまたは圧縮性の部品とを含む。ロック位置では、より硬質な部品は、圧縮性の部品に作用して、これら２つの部品を相対運動に対してロックする。より硬質な部品および圧縮性の部品の、異なる材料特性によって、より容易にロックを達成することができ、またねじ山付きボアおよび対応するねじ山付きノブを必要とすることなく、装置がロックされることができるようになる。
【０００６】
本発明の第１の態様によると、
互いに対してスライド運動するように構成された第１の部品および第２の部品、
を含む装置が提供され、
第１の部品は、第１の位置から第２の位置まで動くことができる硬質部分を含むロック部材を含み、
第２の部品は、圧縮性部分を含み、圧縮性部分は、硬質部分より低いショア硬さを有し、また、圧縮性部分は、ロック部材が第１の位置にあるときに圧縮性部分が硬質部分により係合されず、ロック部材が第２の位置にあるときに圧縮性部分が硬質部分により少なくとも部分的に圧縮され、それにより第１および第２の部品の相対運動を防ぐように、位置付けられている。
【０００７】
本発明の別の態様によると、
互いに対してスライド運動するように構成された第１の部品および第２の部品、
を含む装置が提供され、
第１の部品は、第１の位置から第２の位置まで動くことができる圧縮性部分を含むロック部材を含み、
第２の部品は、硬質部分を含み、硬質部分は、圧縮性部分より高いショア硬さを有し、また、硬質部分は、ロック部材が第１の位置にあるときに圧縮性部分が硬質部分により係合されず、ロック部材が第２の位置にあるときに圧縮性部分が硬質部分により少なくとも部分的に圧縮され、それにより第１および第２の部品の相対運動を防ぐように、位置付けられる（この態様の装置は、この態様では、圧縮性材料が第２の部品ではなくロック部材に設けられることを除いて、第１の態様に非常によく似ている）。
【０００８】
圧縮性部分と硬質部分との間の相互作用により、第１および第２の部品が相対運動に対してロックされるかどうかが制御される。第２の位置では、硬質部分は、圧縮性部分に接触しており、圧縮性部分に力を加える。圧縮性部分は硬質部分より低いショア硬さを有するので、圧縮性部分は、硬質部分の周りで圧縮または変形する。この圧縮により、摩擦が生じ、くぼみ（identations）またはラチェットに基づいたシステム（調節レベルは、設けられている特定のくぼみに限られる）では可能とならない細かい調節レベルで、第１および第２の部品をロックする。先行技術のねじ山付きノブシステムで、同様の細かい調節を得ることができるが、本発明は、異なる材料を使用しており、そのうちの１つはその他より低いショア硬さを有し、先行技術のねじ山付きノブを使用する困難さを伴わずに、確実なロックができる。
【０００９】
圧縮性部分は、約５０〜約７０、より好ましくは５８〜６２のショア硬さを備えた材料を含むことができる。圧縮性部分に適した材料の一例は、６０ショア硬さのシリコーンゴムである。
【００１０】
硬質部分は、８０以上のショア硬さを備えた材料を含み得る。適した材料の例は、パントン１Ｔクールグレイ（Pantone 1T cool grey）（ホワイト）ＳＧ８５ポリウレタン鋳造用樹脂、アルミニウム、およびステンレス鋼である。
【００１１】
一実施形態では、硬質部分はエッジである。エッジは、鋭いかまたは丸みを帯びていてよく、第２の位置で圧縮性部分に及ぼされる力を集結するのに役立ち、このため圧縮性部分がさらに圧縮され、２つの部品が第２の位置で互いにさらに固定される。
【００１２】
一実施形態では、第１の部品は、長さ方向軸を有し、第１および第２の部品は、実質的に長さ方向軸の方向に互いに対してスライド運動するように構成される。硬質部分は、真っ直ぐであり、長さ方向軸に実質的に垂直に整列されており、ロック部材は、第１の位置と第２の位置との間で鋭いエッジに平行な方向に動くことができる。この構成により、ロックが強化される。これは、圧縮性材料が相対運動の方向に対して垂直に圧縮されるように硬質部分が方向付けられるためである。圧縮性部分により硬質部分に及ぼされるあらゆる弾性的反力は、ロック部材が第１の位置と第２の位置との間を動く方向に対して垂直であるので、ロック部材を第２の位置から動かそうとするあらゆる力が最小化され、さらに確実なロックがもたらされる。別の利点は、第２の位置では、圧縮性材料が、硬質部分の周りで局所的に変形する可能性があり、第２のロック位置の確実さがさらに向上することである。いくつかの実施形態では、硬質部分は、真っ直ぐかつ鋭くてよく、そのため、圧縮性部分は硬質部分によって部分的に切り込まれ（partly cut into but the hard portion）、ロックをさらに確実にする。
【００１３】
圧縮性部分は、破壊できない材料（infrangible material）を含み得る。破壊できない材料は、壊れて他の破片になるのに抵抗する（resists breakage into other pieces）。これは、圧縮性部分からの破片が硬質部品により折れ（broken off）、創傷の中に入り込むリスクを軽減するので、医学的適用において望ましい。
【００１４】
破片によるリスクをさらに最小限に抑えるため、圧縮性部分は、生体適合性材料から作られてもよい。
【００１５】
圧縮性部分は弾性であってよく、圧縮後、その元の形状に戻る。圧縮性部分が弾性である場合、装置は、より容易に再利用されることができる。これは、ロック部材がいったん第２の位置から出たら、圧縮性部分の弾性により、圧縮性部分が、永続的に変形したままになるのではなく、その非圧縮形状に戻るためである。
【００１６】
装置は、手術で使用される測定器具の一部を形成することができる。測定器具は使い捨てであってよい。一実施形態では、測定器具は、膝の手術で大腿骨のサイズを測定する（sizing）ためのものであってよく、第１の部品または第２の部品に取り付けられたスタイラスをさらに含んでよい。測定器具はまた、第１または第２の部品に取り付けられた位置付けガイドをさらに含んでよい。
【００１７】
本発明の実施形態は、添付図面を参照して、例として説明される。添付図面では、同様の参照符号が、同様の部品を指す。
【００１８】
図１は、本発明による、膝手術で使用される測定器具２の斜視図を示す。この測定器具は、大腿骨のサイズを測り、大腿骨プロテーゼの位置付けピンを大腿骨に正しく確実に位置付けるために使用されることができる。器具２は、主要フレーム４を含み、主要フレームは、図２〜図５では互いから離れて描かれている２つのスライドサブアセンブリ６、９の一部を形成する。
【００１９】
主要フレーム４は、その下部エッジに一対の平坦な脚部８を有し、脚部８は、使用中、切除される脛骨表面上に置かれる。主要フレーム４は、脚部８の平面に垂直な長さ方向軸に概ね沿って脚部８から上方に延びる。チャネル１０が、第１のスライドサブアセンブリ６を受容するために画定されている。チャネル１０の周りの外表面は、長さ方向軸に垂直な概ね一定の断面を有して、第２のスライドサブアセンブリ９にチャネルを部分的に囲ませる。このように、スライドサブアセンブリ６、９双方が、長さ方向軸の方向にチャネル１０に対してスライドすることができる。
【００２０】
次に図２および図３を参照すると、主要フレーム４は、図２では第１のスライドサブアセンブリ６が組み立てられた状態で、また、図３では、分解された状態で描かれている（第２のスライドサブアセンブリ９にのみ関係する部品は全て、明瞭化のため省略してある）。第１のスライドサブアセンブリ４は、基部プレート１２を含み、基部プレートは、主要フレーム４のチャネル１０内部に嵌まるようにサイズが決められている。基部プレート１２の上部は、スタイラス１４（図２および図３では不図示であるが、図１に図示）の接続のためのものである。基部プレート１２は、膝関節置換システムで使用されるインプラントのサイズ、例えばDePuy International Limitedから市販されているP. C. S. Sigma Total Knee systemで使用される２、２．５、３、４および５のサイズ、に対応するグラデーションマークを有する。
【００２１】
２つの圧縮性細片１８が、基部プレート１２の各側に取り付けられ、基部プレートと共に、チャネル１０の断面よりわずかに小さい、長さ方向軸周りの周辺部を定め、基部プレート１２をチャネルでスライドさせる。
【００２２】
第１のロック部材２０が、組み立てられた器具の主要フレーム４内部に収容される。硬質ブレード２２が、第１のロック部材２０の一端部に取り付けられ、グリップ２４がもう一方の端部に取り付けられる。グリップ２４は、主要フレーム４に形成された孔２６から突出して、第１のロック部材を、長さ方向軸に垂直な方向に、第１の位置から第２の位置まで動かす。
【００２３】
第１の位置では、硬質ブレード２２は、圧縮性細片１８の側面に位置付けられ、基部プレート１２をチャネル１０で自由にスライドさせる。第２の位置では、硬質ブレード２２は圧縮性細片１８に係合して、圧縮性細片を圧縮する。ブレードは、ロック部材２０が動く方向に平行に方向付けられており、ロック部材を第１の位置と第２の位置との間で動かすのがさらに容易になる。第２の位置では、圧縮性細片１８の圧縮により、基部プレート１２を主要フレーム４に対してロックする摩擦力が生じる。
【００２４】
次に図４および図５を参照すると、主要フレーム４は、図４では第２のサブアセンブリ９が組み立てられた状態で、また、図５では分解された状態で、描かれている。図４および図５では、第１のサブアセンブリ６のみに関するあらゆる構成要素が、明瞭化のため省略されている。第２のサブアセンブリ９は、チャネル３０を画定するスライドフレーム２８を含み、チャネル３０は、主要フレーム４のチャネル１０の外表面がチャネル３０内部に嵌まるようにサイズが決められており、スライドフレーム２８が主要フレーム４に対して長さ方向軸の方向にスライドできる。スライドフレーム２８はまた、位置付けピンをどこに設置すべきかを示すために２つの孔３２も画定する。グラデーションマーク３３が、スライドフレームの表面に設けられ、基部プレート１２と同じサイズ、すなわちこの実施形態では２、２．５、３、４および５の標準サイズ、に印を付けている。
【００２５】
位置付けピンの設置を示す孔３２はまた、それらピン用の穴を作るガイドとしても機能する。これらの孔３２は、１７−４ステンレス鋼で裏打ちされている。
【００２６】
２つの圧縮性細片３４が、主要フレーム４のチャネル１０の外表面に取り付けられる。第２のロック部材３６がスライドフレーム２８に設けられる。２つの硬質ブレード３８は、第２のロック部材３６の一端部に取り付けられ、グリップ４０が、もう一方の端部から延びている。スライドフレーム２８は、孔４２を含み、装置が組み立てられるとグリップはこの孔４２を通って延びる。第２のロック部材は、第１の位置と第２の位置との間でスライドフレーム２８内部において左右に動かされ得る。
【００２７】
第１の位置では、硬質ブレード３８は、圧縮性細片３４と接触しておらず、スライドフレーム２８は、主要フレーム４に対してスライドすることができる。第２の位置では、硬質ブレード３８は、圧縮性細片３４に係合し、圧縮性細片を圧縮する。これらのブレードは、ロック部材３６が動く方向に平行に方向付けられ、ロック部材を第１の位置と第２の位置との間で動かすのが容易になる。第２の位置では、圧縮性細片３４の圧縮により摩擦力が生じ、摩擦力により、スライドフレーム２８が主要フレーム４に対してロックされる。
【００２８】
この実施形態では、圧縮性細片１８、３４は、ポットライフが６０分、ダイ成型時間が１２〜１４時間、粘度が３．５Ｍｓ／ｍ２、ショア硬さが６０±２、引き裂き強度が４Ｎ／ｍｍ２、引っ張り強度が３±０．５Ｎ／ｍｍ２の、６０ショア硬さのシリコーンゴムから作られる。硬質ブレード２２、３８は、１７−４ステンレス鋼から作られる。この材料の組み合わせにより、ロック部材２０、３６が第２のロック位置に動かされたときに良好なロックがもたらされる。６０ショア硬さのシリコーンゴムは、ブレードにより加えられる力を受けて切断および剪断に抵抗しながらブレードの下で圧縮されて変形し、ブレードの下で破壊に抵抗する、実質的に破壊できない材料として機能する。圧縮性細片からの破片が使用中に壊れて創傷内に入った場合でも、６０ショア硬さのシリコーンゴムは、生体適合性である。
【００２９】
基部プレート１２およびスタイラス１４は、アルミニウムから作られる。
【００３０】
装置の残りの部分は、硬質プラスチックから製造される。現在好適な１つの材料は、比重が１．６ｋｇ／ｄｍ３、ポットライフ（２０℃で２００ｇｍ）が５分、硬化時間が４５分、ショア硬さが８０、圧縮強度が４７Ｎ／ｍｍ２、引っ張り強度が２７Ｎ／ｍｍ２、曲げ強度が４０Ｎ／ｍｍ２のパントン１Ｔクールグレイ（ホワイト）ＳＧ９５ポリウレタン鋳造用樹脂である。
【００３１】
使用中、測定器具２は、切除された脛骨の上に置かれ、脚部８は、大腿骨が９０°まで回転した状態で、切除表面上に位置する。基部プレート１２は次に、スタイラスがパテント（patent）に接触するまで調節されて、ロック部材２０を用いてロックされる。グラデーション１６は次に、必要なインプラントのサイズについて読み取られることができる。これは、大腿骨インプラントの必要なサイズを測定するもので、後方の顆から前方のノッチまで測定される。
【００３２】
スライドフレーム２８は次に、先に測定された正しいプロテーゼサイズがグラデーション３３により示されるまで、主要フレーム４に対して調節される。スライドフレーム２８は、第２のロック部材３６を用いて所定の位置にロックされ、孔３２は、位置付けピンの場所を誘導するのに使用されることができる。
【００３３】
大腿骨インプラントは、通常、次に最も大きいサイズに合わせられる（sized up to）。例えば、サイズがサイズ４とサイズ５との間で測定された場合、サイズ５が選択され、スライドフレーム２８はサイズ５の位置でロックされる。
【００３４】
測定器具は、再利用可能であってよく、または、特定の回数だけ使用されてもよい。器具が再利用可能である範囲は、圧縮性細片１８、３４の磨耗により決定される。ブレード３８が圧縮性細片１８、３４に係合した後で圧縮性細片１８、３４が磨耗するかまたは切れてしまった場合、装置を再利用することはできないだろう。しかしながら、低コストの材料を使用することで、手術で使用した後に廃棄されるように測定器具を設計することができ、滅菌の必要性が減少する。
【００３５】
前述した実施形態は、真っ直ぐなエッジを備えた硬質ブレードを使用して圧縮性細片に作用するが、選択的なロックの利点は、多くの他の構成によって達成することができる。例えば、硬質エッジではなく硬質表面を使用することができる。
【００３６】
代替的な実施形態では、硬質表面および圧縮性細片の設置を交換してよく、それにより圧縮性細片がロック部材上に位置し、硬質表面がその他の部分に位置する。
【００３７】
代替的な実施形態では、２個ではなく他の個数の圧縮性細片、例えば単一の細片または３つもしくは４つ以上の細片、を使用することができる。
【００３８】
ブレードと圧縮性細片との相互作用によりスライド運動をロックする機構は、スライド部分の選択的ロックが必要とされるあらゆる状況で適用されてよく、その機構が前述した特殊な測定装置に限定されるものではないことが認識されるであろう。
【００３９】
前述した実施形態は好適な材料について説明したものであるが、他の材料を使用して、硬質ブレードより低いショア硬さを有する圧縮性細片を提供してもよい。
【００４０】
〔実施の態様〕
（１）  装置において、
互いに対してスライド運動するように構成された第１の部品および第２の部品、
を含み、
前記第１の部品は、第１の位置から第２の位置まで移動可能な硬質部分を含むロック部材を含み、
前記第２の部品は、圧縮性部分を含み、前記圧縮性部分は、前記硬質部分より低いショア硬さを有し、前記ロック部材が前記第１の位置にあるときに前記圧縮性部分が前記硬質部分により係合されず、前記ロック部材が前記第２の位置にあるときに前記圧縮性部分が前記硬質部分により少なくとも部分的に圧縮され、それにより前記第１および第２の部品の相対運動を妨げるように、位置付けられる、装置。
（２）  装置において、
互いに対してスライド運動するように構成された第１の部品および第２の部品、
を含み、
前記第１の部品は、第１の位置から第２の位置まで移動可能な圧縮性部分を含むロック部材を含み、
前記第２の部品は、硬質部分を含み、前記硬質部分は、前記圧縮性部分より高いショア硬さを有し、前記ロック部材が前記第１の位置にあるときに前記圧縮性部分が前記硬質部分により係合されず、前記ロック部材が前記第２の位置にあるときに前記圧縮性部分が前記硬質部分により少なくとも部分的に圧縮され、それにより前記第１および第２の部品の相対運動を妨げるように、位置付けられる、装置。
（３）  実施態様１または２に記載の装置において、
前記圧縮性部分は、ショア硬さが５０〜７０の材料を含む、装置。
（４）  実施態様１〜３のいずれかに記載の装置において、
前記硬質部分は、８０以上のショア硬さを有する、装置。
（５）  実施態様１〜４のいずれかに記載の装置において、
前記硬質部分は、前記ロック部材のエッジである、装置。
【００４１】
（６）  実施態様１〜５のいずれかに記載の装置において、
前記第１の部品は、長さ方向軸を有し、前記第１および第２の部品は、実質的に前記長さ方向軸の方向に、互いに対してスライド運動するように構成され、
前記硬質部分は、真っ直ぐであり、前記長さ方向軸に実質的に垂直に整列され、
前記ロック部材は、第１の位置と第２の位置との間で前記鋭いエッジに平行な方向に移動することができる、装置。
（７）  実施態様１〜６のいずれかに記載の装置において、
前記圧縮性部分は、破壊できない材料を含む、装置。
（８）  実施態様１〜７のいずれかに記載の装置において、
前記圧縮性部分は、弾性である、装置。
（９）  手術で使用される測定器具において、
実施態様１〜８のいずれかに記載の装置、
を含む、測定器具。
（１０）  実施態様９に記載の測定器具において、
前記測定器具は、使い捨てである、測定器具。
【００４２】
（１１）  膝関節手術で大腿骨のサイズを測るための実施態様９または１０に記載の測定器具において、
前記第１の部品または第２の部品に取り付けられたスタイラス、
をさらに含む、測定器具。
（１２）  膝関節手術で大腿骨のサイズを測るための実施態様９または１０に記載の測定器具において、
前記第１または第２の部品に取り付けられた位置付けガイド、
をさらに含む、測定器具。
【図面の簡単な説明】
【００４３】
【図１】本発明による実施形態の斜視図である。
【図２】図１の実施形態の第１のサブアセンブリの斜視図である。
【図３】図２のサブアセンブリの分解組立図である。
【図４】図１の実施形態の第２のサブアセンブリの斜視図である。
【図５】図４のサブアセンブリの分解組立図である。
【図１】
2011529355.tif 000003
【図２】
2011529355.tif 000004
【図３】
2011529355.tif 000005
【図４】
2011529355.tif 000006
【図５】
2011529355.tif 000007
【国際調査報告】
2011529355.tif 000008
2011529355.tif 000009